Podtech/llm-jp-corpus-v4-ja_patent huggingface dataset:
(57)【要約】【課題】軽量で反りの少ないパネルを得、また、金具を用いないで屈曲した脚材や、カウンターを得、見栄えのよいものにする。【解決手段】表面に熱硬化性樹脂化粧板１が接着され裏面同志が対向する２枚の合板２の間に、基材５に熱硬化性樹脂積層板３が接着された桟材６を配置してパネル１０を得る。また、屈曲部を有しつつ連接されたテーブル１２であって、該屈曲部の所々に、該桟材同志で囲まれた空隙に熱硬化性樹脂９を注入する。更に、該パネル１０の所々に裏面から表面にかけてＶ溝を形成して屈曲させ、該屈曲部の所々の該桟材同志で囲まれた空隙に熱硬化性樹脂９を注入する。【選択図】　図４
2004016561.tif 000002
【特許請求の範囲】
【請求項１】
表面に熱硬化性樹脂化粧板１が接着され裏面同志が対向する２枚の合板２の間に、基材５に熱硬化性樹脂積層板３が接着された桟材６が配置されたことを特徴とするパネル１０。
【請求項２】
該パネル１０が屈曲部を有しつつ連接されたテーブル１２であって、該屈曲部の所々が、該桟材同志で囲まれた空隙に熱硬化性樹脂９が注入されて補強されていることを特徴とするテーブル１１。
【請求項３】
該パネル１０の所々に裏面から表面にかけてＶ溝が形成されて屈曲されたカウンター１２であって、該屈曲部の所々が、該桟材同志で囲まれた空隙に熱硬化性樹脂９が注入されて補強されていることを特徴とするカウンター。
【発明の詳細な説明】
【０００１】
【産業上の利用分野】
本発明はパネル、テーブル及びカウンターに関する。
【０００２】
【従来の技術】
従来、合板、ＭＤＦなどの木質系基材、及び軽量化を目的として紙製ハニカムコア、ロールコアなどの中空芯材に熱硬化性樹脂化粧板を接着したパネルがあった。これらのパネルを用いたものとして、例えば、洗面台やテーブルなどがあるが天板と側板、天板と背板、天板と脚材をＬ字形に接合する際には、金具を用いていた。
【０００３】
【発明が解決しようとする課題】
しかしながら、金具があるため引っ掛けることがあり、見栄えのするものではなかった。
【０００４】
【課題を解決するための手段】
本発明はかかる状況に鑑み検討されたもので以下のことを特徴とする。すなわち、請求項１に記載の発明は、表面に熱硬化性樹脂化粧板１が接着され裏面同志が対向する２枚の合板２の間に、基材５に熱硬化性樹脂積層板３が接着された桟材６が配置されたことを特徴とするパネル１０である。
【０００５】
また、請求項２に記載の発明は、該パネル１０が屈曲部を有しつつ連接されたテーブル１２であって、該屈曲部の所々が、該桟材同志で囲まれた空隙に熱硬化性樹脂９が注入されて補強されていることを特徴とするテーブル１１である。
【０００６】
更に、請求項３に記載の発明は、該パネル１０の所々に裏面から表面にかけてＶ溝が形成されて屈曲されたカウンター１２であって、該屈曲部の所々が、該桟材同志で囲まれた空隙に熱硬化性樹脂９が注入されて補強されていることを特徴とするカウンター１２である。
【０００７】
【発明の実施形態】
以下、本発明を図面に基づき詳細に説明する。図１は本発明のパネルを示し、図２は図１中の線Ａ−Ａに沿う構成断面図である。図２に示すように本発明のパネル１０は、熱硬化性樹脂化粧板１と、合板２と、桟材６、木口材７などから構成されている。
【０００８】
合板２の表面には熱硬化性樹脂化粧板１としてメラミン樹脂化粧板が接着され、桟材６には、段ボールの表裏にフェノール樹脂積層板が接着されたものが用いられている。実施例では軽量化を図るため基材に段ボールが用いられているが、これ以外にも、ロールコア、紙製ハニカムコア、アルミニウムハニカムコア、合板などを用いてもよい。
【０００９】
桟材６は補強を目的に合板２の裏面側に配置されている。桟材６と平行する側面は桟材６を開口部を残して配置して、開口部を熱硬化性樹脂で補強する、側面には木口材７を接着するなど表面の柄、意匠に応じて適宜選択すればよい。樹脂で補強する際にはエポキシ樹脂が好適で、エポキシ樹脂は見栄えをよくするため着色してもよい。
【００１０】
図３は、本発明のパネルをコの字形に屈曲させて連結し、連結部の所々の桟材６同志で囲まれた空隙には熱硬化性樹脂９としてウレタン樹脂が注入されたテーブル１１の透視斜視図であり、図４は図３中のＢ−Ｂ線に沿う断面図である。図に示すように、連結部が補強され、強度は勿論のこと、歪みや破損を防止するものとなっている。本発明ではウレタン樹脂を用いているが、常温で硬化するものであれば特に制約はなく、例えば、エポキシ樹脂でもよい。
【００１１】
図５は他の実施形態を示し、本発明のパネル１０の裏面にＶ溝を形成し、Ｌ字形に屈曲させたカウンター１２の透視斜視図である。図３と同様に屈曲部の所々の桟材６同志で囲まれた空隙には熱硬化性樹脂９としてウレタン樹脂が注入されて補強されている。
【００１２】
【発明の効果】
本発明のパネルは表裏対象の構成であるから反ることがなく、内部の所々に空隙があるから軽く、取り扱いやすい。
また、本発明のパネルを屈曲、或いは連結させて屈曲部や連結部に熱硬化性樹脂を注入して補強することにより金具が目立たず見栄えがよい。
【図面の簡単な説明】
【図１】本発明のパネルの斜視図。
【図２】図１中の線Ａ−Ａに沿う断面図。
【図３】テーブルの透視斜視図。
【図４】図３中の線Ｂ−Ｂに沿う断面図。
【図５】カウンターの透視斜視図。
【符号の説明】
１　熱硬化性樹脂化粧板
２　合板
３　熱硬化性樹脂積層板
５　基材
６　桟材
７　木口材
９　熱硬化性樹脂
１０　パネル
１１　テーブル
１２　カウンター
【図１】
2004016561.tif 000003
【図２】
2004016561.tif 000004
【図３】
2004016561.tif 000005
【図４】
2004016561.tif 000006
【図５】
2004016561.tif 000007
(57)【要約】【課題】葬式発生時に必要な物品を収容でき、持ち運びも容易なものを提供することを目的とする。【解決手段】葬式に必要な物品を収納していた紙製箱を用いて、葬式後の後飾りを行うようにした後飾り用祭壇とした。【選択図】　図５
2004016564.tif 000002
【特許請求の範囲】
【請求項１】
葬式に必要な物品を収納していた紙製箱を用いて、葬式後の後飾りを行うようにした後飾り用祭壇。
【請求項２】
下段紙製箱、中段紙製箱、上段紙製箱を順に当接させ、前記下段紙製箱、中段紙製箱、上段紙製箱にフィットする布地内敷きで覆わせて下段紙製箱、中段紙製箱、上段紙製箱を固定するようにした請求項１記載の後飾り用祭壇。
【請求項３】
中段紙製箱の上に下段紙製箱を積み重ね、或いは下段紙製箱の上に中段紙製箱を積み重ねて上段紙製箱とした請求項２記載の後飾り用祭壇。
【発明の詳細な説明】
【０００１】
【発明の属する技術分野】
本発明は、葬式後の喪中の供養を行う際、位牌や故人の写真、供物等を置くために使用する後飾り用祭壇に関するものである。
【０００２】
【従来の技術】
従来の葬式後の後飾り用祭壇は、木製のものが多く使用されている。
【０００３】
【発明が解決しようとする課題】
木製の後飾り用祭壇は、重量・サイズとも大きく、その上、嵩張るので取扱いにくいものであった。
【０００４】
【課題を解決するための手段】
そこで、本発明は、上記の事情に鑑み、葬式発生時に必要な物品を収容でき、持ち運びも容易なものとすべく、葬式に必要な物品を収納していた紙製箱を用いて、葬式後の後飾りを行うようにした後飾り用祭壇とした。
【０００５】
また、本発明は、具体的には、下段紙製箱、中段紙製箱、上段紙製箱を順に当接させ、前記下段紙製箱、中段紙製箱、上段紙製箱にフィットする布地内敷きで覆わせて下段紙製箱、中段紙製箱、上段紙製箱を固定するようにした後飾り用祭壇とした。
【０００６】
さらに、本発明は、具体的には、中段紙製箱の上に下段紙製箱を積み重ね、或いは下段紙製箱の上に中段紙製箱を積み重ねて上段紙製箱とした後飾り用祭壇とした。
【０００７】
【発明の実施の態様】
本発明を添付する図面に示す具体的な実施例に基づいて、以下詳細に説明する。
【０００８】
図１は、段ボール、板紙等の紙素材で製作された紙製箱で、例えば、下段紙製箱１で本体２と蓋３とよりなる。
【０００９】
本体２の展開図が図２に示され、概略長方形状で、側パネル４，側パネル５、側パネル４，側パネル５が折り曲げ線を介在させて連ねてある。側パネル４の側辺には糊代６が連ねてある。また、側パネル４・側パネル５の下辺にはそれぞれ折り曲げ片７・折り曲げ片８が連ねてある。側パネル５の上部には手差込み孔９が刻設してある。
【００１０】
側パネル４・側パネル５を四角筒状に折り曲げ接着し、折り曲げ片７・折り曲げ片８を内側に折り曲げて組立てる。
【００１１】
蓋３の展開図が図３に示され、概略長方形状で、天パネル１０の上下辺にそれぞれ側パネル１１を連ね、側パネル１１の両端にはそれぞれ折り曲げ片１２を連ね、天パネル１０の左右辺にそれぞれ側パネル１３を連ね、側パネル１３から板厚分隔てて折り返しパネル１４を連ね、折り返しパネル１４の中央に差込片１５を突出する。天パネル１０の両端中央にはそれぞれ嵌合孔１６を穿設する。
【００１２】
天パネル１０から側パネル１１および側パネル１３をそれぞれ下方へ折り曲げ、折り曲げ片１２をそれぞれ内方に折り曲げ、折り曲げ片１２を側パネル１３と折り返しパネル１４で挟んで差込片１５を嵌合孔１６に嵌めて組立てる。
【００１３】
上記は、下段紙製箱１について述べたが、中段紙製箱１７、上段紙製箱１８は、高さだけで異ならせて同様の構造にすることができる。
【００１４】
この下段紙製箱１、中段紙製箱１７、上段紙製箱１８には葬式に必要な物品を収容できる。葬式に必要な物品として、枕飾り、通夜用品、法要セット、接待用品、記録用品、事務用品、ストレッチャー布団、吸水マット、内敷きかぶせ、後飾り消耗品等がある。
【００１５】
葬式後、後飾り用祭壇は、葬式に必要な物品を収容していた紙製箱を用いて製作する。
【００１６】
図４に示すように、下段紙製箱１、中段紙製箱１７、上段紙製箱１８を順に当接させ、図５に示すように前記下段紙製箱１、中段紙製箱１７、上段紙製箱１８にフィットする布地内敷き１９で覆わせて、下段紙製箱１、中段紙製箱１７、上段紙製箱１８を固定する。
【００１７】
上段紙製箱を１個の紙製箱で製作することもできるが、中段紙製箱１７の上に下段紙製箱１を積み重ね、あるいは下段紙製箱１の上に中段紙製箱１７を積み重ねることもできる。図６は中段紙製箱１７の上に下段紙製箱１を積み重ねた例である。
【００１８】
このようにすると、特別に上段紙製箱を製作する必要はなく、製造コストが安価になる。
【００１９】
【考案の効果】
本発明は、上述のように、葬式に必要な物品を収納していた紙製箱を用いて、葬式後の後飾りを行うようにした後飾り用祭壇であるので、葬式発生時に必要な物品を収容でき、持ち運びも容易にできる。
【００２０】
また、本発明は、具体的には、下段紙製箱、中段紙製箱、上段紙製箱を順に当接させ、前記下段紙製箱、中段紙製箱、上段紙製箱にフィットする布地内敷きで覆わせて下段紙製箱、中段紙製箱、上段紙製箱を固定するようにした後飾り用祭壇である。
【００２１】
さらに、本発明は、具体的には、中段紙製箱の上に下段紙製箱を積み重ね、或いは下段紙製箱の上に中段紙製箱を積み重ねて上段紙製箱とした後飾り用祭壇である。
【図面の簡単な説明】
【図１】下段紙製箱の斜視図である。
【図２】下段紙製箱の本体の展開図である。
【図３】下段紙製箱の蓋体の展開図である。
【図４】下段紙製箱、中段紙製箱、上段紙製箱を順に当接させた状態の斜視図である。
【図５】下段紙製箱、中段紙製箱、上段紙製箱にフィットする布地敷きで覆わせて下段紙製箱、中段紙製箱、上段紙製箱を固定した状態の斜視図である。
【図６】中段紙製箱の上に下段紙製箱を積み重ねた状態の斜視図である。
【符号の説明】
１…下段紙製箱
２…本体
３…蓋
４…側パネル
６…糊代
７…折り曲げ片
８…折り曲げ片
９…手差込み孔
１０…天パネル
１１…側パネル
１２…折り曲げ片
１３…側パネル
１４…折り返しパネル
１５…差込片
１６…嵌合孔
１７…中段紙製箱
１８…上段紙製箱
１９…布地内敷き
【図１】
2004016564.tif 000003
【図２】
2004016564.tif 000004
【図３】
2004016564.tif 000005
【図４】
2004016564.tif 000006
【図５】
2004016564.tif 000007
【図６】
2004016564.tif 000008
(57)【要約】　　　（修正有）【課題】本発明は手軽な道具で従来困難だった大型模型蒸気機関車の運搬を可能とする。【解決手段】機関車動輪の踏み面を介して吊り上げ可能の状態に保持する。【選択図】図２
2004016792.tif 000002
【特許請求の範囲】
【請求項１】
機関車の構造物との接触を避けるための腕を設けた金具の先端に動輪がレール又は板等に載った状態のまま差し込めるように切り込みを入れた爪を設け、動輪の下部左右から前後のロッドで一対の金具を爪が動輪踏み面に接するように連結し、爪で動輪の踏み面を介して機関車を吊り上げることができるように機関車を保持する装置。
【発明の詳細な説明】
模型蒸気機関車を愛する人は全国的又は世界的に多数存在するが共通の悩みとして運搬の問題がある。スケールモデルにおいてはパイピング等で持つ場所も不自由であり、大型モデルでは２００ｋｇ前後の重量となるため、チェンブロック等が使用できるようにこの装置を考案した。
１図の金具を最前部と最後尾の動輪の左右に爪が踏み面に接するように置き、金具が左右に広がらないように左右金具を各二本の下部ロッドを穴Ｄに通して連結する。穴Ｄはブレーキ引き棒等に接触しない位置とする。
Ｌ７とＬ４は腕Ｅの先端と動輪表面に少し隙間がある状態で爪が動輪踏み面の適切な位置に接するような数値とする。上部は位置決め用の上部ロッドを穴Ｂに通して連結するがＬ６はＬ７−２ｔとする。前後金具上部ロッドを連結リンクａで連結する。Ｌ８は最前部と最後尾の動輪の距離である。
前後金具のどちらかの任意の位置ともう片方の金具の上部ロッドを連結リンクｂで連結する。Ｌ９をリンクを連結した金具の中心線と連結リンクａの角度が直角となるような数値とする。図の場合は任意の位置を動輪上部表面を押さえられる位置ＣとしＦを設けて支点と共用した。Ｆは吊り上げ中、又は運搬中に機関車の転倒を防止する作用がある。Ｌ１とＬ２は金具が機関車と接触しない数値としてＬ５はＬ２と等しくする。Ｌ３は動輪の連結棒が最下位の時でも腕Ｅに接触しない数値とする。図１の組み立て図のように機関車に取り付け、ロープ、ワイヤー、鎖等を金具最上部の穴Ａに通してチェンブロック等で吊り上げる。
Ｒは動輪の半径と等しくし、爪は上面が動輪踏み面に接する位置に設け、ブレーキシュー等に接触しない幅とする。２図は機関車にセットした状態である。
本発明の利点としては次の通りである。
（１）機関車を持ち上げたり、移動させたりせずに装置をセットできる。
（２）直接レール上に降ろすことができる。
（３）機関車をつり上げた状態では機関車下部に四本のロッドがあるだけなので整備点検が容易である。
（４）装置を付けたまま自動車等で運搬でき，姿勢は安定して転倒も防止できる。
この場合、床が平らであれば動輪は回転可能である。
（５）何らかの原因て爪が外れた場合でも下部ロッドで落下を防止できるので安全である。
（６）つり上げた時に前後金具は爪により自動的に位置決めを行い、リンクにより安定した姿勢を維持でき、工作に少し位の誤差があっても前後金具の爪は正確に動輪踏み面に密着する。
（７）動輪踏み面を介してつり上げるので塗装を傷めない。
（８）従来の装置に較べ、小型にできて安価に仕上がる。
【図面の簡単な説明】
【図１】１図は本発明の三面図と各部品及び組み立て図である。
【図２】２図は機関車にセットした状態を示す。
【図１】
2004016792.tif 000003
【図２】
2004016792.tif 000004
(57)【要約】　　　（修正有）【課題】男性性器の勃起力の回復介助を目的とする装置を提供する。【解決手段】男性性器の勃起を助けるために、掃除機６の負圧（吸引力）を利用した勃起介助器の中間槽１と、その一連の装置であって、家庭の掃除機６の吸引力即ち負圧を、中間槽を介して男性性器に装着したパイプ１０に結合して、吸引勃起させる構成とする。又男性の性器に装着する器具と掃除機６との中間に、バキューム圧調整の目安となる表示器と、操作時間の制限をするタイマー５を設ける。【選択図】図４
2004016795.tif 000002
【特許請求の範囲】
【請求項１】
市販されているどこの家庭にもある掃除機の吸引力を原動力と
して稼動する男性性器の勃起介助機
【請求項２】
男性の性器に装着する器具と前記掃除機の中間にバキューム圧調整の目安となる表示器と操作時間の制限をするタイマーを設け
た調整槽
【請求項３】
男性の性器に装着するリングは脱着が容易になる取手と、締付
圧の圧力を調整するゴムバルブを具備するリング
【発明の詳細な説明】
【０００１】
掃除機の吸込圧力即ち負圧を利用し、他の機器を使用しない経済的な構造で、中間的な調整槽を設け負圧の加減を調整し、必要使用時間を表示すると共に負圧の見込表示を行なうもので、安全性に充分考慮してある。
掃除機、中間槽、男性の性器に装着する器具をホースで結合し、ＯＮ．ＯＦＦの運転は掃除機のモータースイッチで行なうものである。
それぞれの掃除機に合う、合パイプでジョイントを完成させるものであり調整槽から出たパイプを末端の男性性器を吸引する筒の１端に接続し掃除機の操作スイッチで稼動させる。
【０００２】
【発明の属する技術分野】
この発明は男性の男性機能復活に関する技術である。
【０００３】
【従来の技術】
従来はない、病気として処理されてきた。
【０００４】
【発明の解決しようとする課題】
男性がＥＤ即ち男性機能の低下に悩むのを救済することの出来る技術を低価で実現しようとするものである。
【０００５】
【発明の解決しようとするための手段】
どこの家庭にもある掃除機の吸引圧を原動力として、端末の男性性器に装着する器具との間をホースで接続し中間槽で圧力を調整して目的とする吸引勃起を完成させるものである。
【０００６】
【発明の実施の形態】
本発明の一端である中間槽に、どこの家庭にもある掃除機の吸引側ホースを接続し、この中間槽で負圧を看視調節し制限時間を厳守するタイマーで保護されて順当に男性性器をカバーする筒に接続されている。
吸引力は掃除機のＯＮ．ＯＦＦスイッチで操作されるものである。
表示に従い、適切な使用頻度を得るものである。
目的たる男性性器の勃起に貢献するものである。
【０００７】
【実施例】
以下にこの発明の構成と状況を図面を参照に説明する。
【０００８】
図１から図７において
【０００９】
【発明の効果】
求める男性性器を必要な硬度に求める事が出来る。
【００１０】
【図面の簡単な説明】
【図１】この発明の平面図である。
【図２】この発明の側面図である。
【図３】この発明の正面図である。
【図４】この発明の系統を示す図面である。
【図５】この発明の負圧の目安器の側面図である。
【図６】この発明のタイマーの説明図である。
【図７】この発明のストップゴムの形体図である。
【００１１】
【符号の説明】
１．調整槽本体を示し
２．掃除機とドッキングする部分
３．吸入圧の目安器
符号１２．１３．１４．１５．１６．１７より成り立っている。
４．２とは反対方向に突出した男性性器をパイプで結合する端子
５．２５分計タイマーで
符号１８．１９．２０．２１．２２．２３．２４．２５．２６．２７．２８．２９．３０．３１．３２より構成されている
６．掃除機を示す
７．６と１を結ぶパイプ
８．男性性器を包合するパイプの先端のゴムキャップ
９．４と８を結ぶホース
１０．男性性器の入るパイプ
１１．１０に装着したストップゴムを押し出すパイプ
１２．本体１と結合する時の圧力洩れ防止パッキン
１３．取付けビスネジ
１４．目安器３のカバーで保圧の役もする。
１５．スプリング
１６．移動目安針
１７．吸盤
１８．タイマーの吸盤
１９．スライド時のガイドボード
２０．ガンギラックギヤー
２１．ギヤー構成のベース板
２２．スライドローラー
２３．２２と同じスライドローラー
２４．第一シャフト
２５．２４上の小ギヤー捲込用
２６．第一シャフト上の大ギヤー第二シャフトの小ギヤーを廻す
２７．第二号シャフトの小ギヤー
２８．第二シャフトの大ギヤー
２９．第三シャフトの小ギヤー
３０．第三シャフトの大ギヤー
３１．第四シャフトの小ギヤー
３２．第四シャフトのゼンマイスプリングの捲込用
３３．本体上のベース
３４．ストップリング
３４′　３４の移動を示す
３５．脱着用のトッテ特にはずす時の役に立つ
３６．３５の反対側に設けられたヒラヒラ片
３７．リングゴムのジョイントゴムで生ゴムを充填してあるこの部分に注射器で
空気を入れたり抜いたりする
【図１】
2004016795.tif 000003
【図２】
2004016795.tif 000004
【図３】
2004016795.tif 000005
【図４】
2004016795.tif 000006
【図５】
2004016795.tif 000007
【図６】
2004016795.tif 000008
【図７】
2004016795.tif 000009
(57)【要約】【課題】特に雨天の日、傘をさしても傘をささなくても常にどちらかの手で傘を持っていなければならないという煩わしさ開放されること及び傘や小荷物を持っての歩行時の疲労感の解消並びに自転車等での走行時の運転操作の危険度が解消されること。【解決手段】傘を取付けることができる折りたたみ式のネックレスト付固定主柱（１）に肩を固定させる肩バンド付肩平板（２）と背中と取っ手を固定させる背中ゴムバンド付背中平板（３）を設けて、器具全体を体に完全密着固定し、すべて手で傘を持っ必要のない携帯用傘立スタンド器具。【選択図】図１
2004016794.tif 000002
【特許請求の範囲】
【請求項１】
傘を取付けまた傘及び小荷物を掛けることができる折りたたみ式のネックレスト付固定主柱（１）に、肩を固定させるための肩バンド（６）付肩平板（２）と背中と取っ手を固定させるための背中ゴムバンド（７）付背中平板（３）を設け、さらに傘の取っ手を固定する金具（４）と傘の心棒を支え固定させるための金具（５）を装備、最終的に肩バンド（６）と背中ゴムバンド（７）で器具全体を体に完全密着固定し手で傘や小荷物を持つ必要のない携帯用傘立スタンド器具。
【請求項２】
さらに前請求項１のネックレスト付の固定主柱（１）は、首元から背中に通ずる曲線に対応できるよう首元から背中を結ぶ固定主柱に角度を付けて固定させたブリッジ式固定主柱。
【請求項３】
またネツクレスト付の固定主柱（１）は、傘の取っ手部分から傘の心棒取付け部分までの距離と携帯を考慮し、固定主柱（１）の中程から折りたためることとした固定主柱折りたたみ装置。
【請求項４】
ネックレスト付の固定主柱（１）のネックレスト丸棒は、首周りを考慮し、器具の左右、上下のふらつきを防ぐため曲線とした丸棒装備。
【請求項５】
傘の心棒を支え固定させるための金具（５）は、傘自体の前後、左右のふらつきを防ぐほか、傘をささない時には傘や小荷物が掛けられ、さらに貴重品の小荷物には鍵が掛けられるよう鍵穴が施される固定金具装置。
【請求項６】
傘をさした時の傘また傘をささない時の傘や小荷物を掛けても支えられるよう器具全体を体に密着させるため肩バンド（６）と背中ゴムバンド（７）を使用してのリックサック式固定方法。
【請求項７】
携帯用傘立スタンド器具を肩、背中、腕を利用し固定するリック方式としているが、器具自体を簡単に体に固定、設置する方法として、体の前後いずれかに腰ベルトを利用し傘を固定設置するか、また傘固定の専用ベルトを設けて行うか、ないしは単純に背中に十字架方式や襷掛け方式で傘を固定し、携帯用傘立スタンド器具を構成しても良い。
【発明の詳細な説明】
【０００１】
【発明の属する技術分野】
本発明は、傘を取付けまた傘や小荷物を掛けることができる折りたたみ式のネックレスト付固定主柱（１）を設け、その固定主柱に傘の取っ手と傘の心棒を支え固定させる金具（４）（５）を設ける。さらに固定主柱を支える肩平板（２）と背中平板（３）を設け、その平板から肩バンド（６）と背中ゴムバンド（７）を設置、器具と体を完全密着固定し、傘や小荷物を持ち歩けることができることとした携帯用傘立スタンド器具に関するものである。
【０００２】
【従来の技術】従来から携帯用傘立スタンド器具はない。よって、傘をさしても、傘をささなくても歩行する際は必ずどちらかの手で傘を持たなければならなかったので不便を余儀なくされていた。
【０００３】
【発明が解決しょうとする課題】従来から携帯用傘立スタンド器具がなかったので特に雨天の日、傘をさして歩行する時また傘をささないで歩行する時なども必ずどちらかの手で傘を持ち歩かなければならなかったので、ほかに荷物があれば傘自体が荷物となり大儀であった。また自転車等での走行するときなども片手でハンドル操作しなければならない等問題点が多々あった。
【０００４】
【課題を解決するための手段】本発明は、携帯用傘立スタンド器具とすることにより、雨天の日は勿論のこと普段の日でも同器具を持ち歩くことで、両手が使えるようになり荷物も両手一杯に、また自転車等での走行も危険なく快適で余裕の走りができる。器具の取付け、取外しも簡単で、しかも器具全体が軽量のため持ち歩きが容易である。
【０００５】
【発明の実施の形態】本発明の携帯用傘立スタンド器具は、傘を取付けまた傘や小荷物を掛けることができる折りたたみ式のネツクレスト付固定主柱（１）に、傘の取っ手と傘の心棒を支え固定させる金具（４）（５）を設ける。さらに固定主柱を支える肩平板（２）と背中平板（３）を設け、その各平板から肩バンド、背中ゴムバンドで器具自体を完全固定、傘をさすときは取っ手金具（４）に傘を立てて取付け、傘をささないときには傘の心棒を支えている固定金具（５）に掛けセット、すべて手で傘を持たずに歩行または自転車等で走行できる。
【０００６】
【実施例】実施例について図面を参照して説明すると、図１、図２、図３において雨天の日、携帯用傘立スタンド器具を使用する場合、あらかじめ傘を広げ折りたたみ式のネックレスト付固定主柱（１）にセット、肩バンド（６）と背中ゴムバンド（７）に腕を通し肩に掛け固定。また傘をささないときは図４、図５のとおり傘や小荷物を傘の心棒を支え固定させる金具（５）に掛けて同器具が実施される。
【０００７】
本発明は以上説明したような形態で実施され、以下に記載されるような効果を奏する。
【０００８】
携帯用傘立スタンド器具を使用することにより、特に雨天の日、傘をさしても傘をささなくても常に片方の手で傘を持っていなければならないという煩わしさから開放されるので荷物を持っての歩行も両手が使え疲労感も減少、また自転車等での走行にも両手が使えるので運転操作も快適、しかも器具の取付け、取外しも簡単であり、かつ器具自体が軽量であるので持ち歩きも苦にならず、保管格納も容易である。
【図面の簡単な説明】
【図１】本発明の全体の斜視図である。
【図２】本発明の背面図である。
【図３】本発明の側面図である。
【図４】本発明の傘を掛けたときの背面図である。
【図５】本発明の小荷物を掛けたときの背面図である。
【符号の説明】
１、折りたたみ式ネックレスト付固定主柱
２、肩平板（肩ベルト付）
３、背中平板（背中ゴムバンド付）
４、取っ手固定金具
５、心棒支え金具（鍵穴付）
６、肩バンド
７、背中ゴムバンド
【図１】
2004016794.tif 000003
【図２】
2004016794.tif 000004
【図３】
2004016794.tif 000005
【図４】
2004016794.tif 000006
【図５】
2004016794.tif 000007
(57)【要約】【課題】従来は、割り箸の表面が荒れていて不便だった。それを、割り箸入れに付けた紙やすりで削ることにより、割り箸表面を滑らかにすることのできる割り箸入れを提供する。【解決手段】割り箸入れ（１）内部に紙やすり（２）を取り付けたことを特徴とする。【選択図】図１
2004016800.tif 000002
【特許請求の範囲】
【請求項１】
割り箸袋に紙やすりを付けた、紙やすり付き割り箸袋。
【発明の詳細な説明】
この発明は、割り箸袋に紙やすりを付けることを特徴とするものである。
従来、割り箸袋には紙やすりが付いていなく、割り箸を割ったときに出たとげや、とがった角で口などを痛めることがあった。また、割り箸表面を滑らかにするために、割り箸どうしをこすり合わせても、なかなか滑らかにはならなかった。
本発明は、その欠点を除くために発明されたもので、それを図面について説明すれば、割り箸入れ（１）内部に紙やすり（２）をつけたものである。
これにより、割り箸を割ったあとに割り箸表面をやすりでこすることにより、滑らかな表面にすることができる。
また、けずりかすが割り箸入れ内に入るのでまわりに散らばらない。
【図面の簡単な説明】
【図１】本発明の斜視図である。
【図２】割り箸収納時の斜視図である。
【符号の説明】
１は割り箸入れ、２は紙やすり、３は割り箸。
【図１】
2004016800.tif 000003
【図２】
2004016800.tif 000004
(57)【要約】【課題】傘を使用する時に、身体に取り付けたバンドによって、傘を身体に装着することにより、手を添えなくとも、傘を使うことができる傘ホルダーを提供する。【解決手段】全体を縦長の柱状に形成し、傘柄を保持するため、つまみ状にハンドルのついた、丁番に形成した本体に、前固定バンド（１４）後固定バンド（１６）及び、胴巻バンド（９）を設け、傘（１）を、丁番（４）の間に挟み、ハンドル（５）を締め、傘（１）を、本体に固定することを特徴とする。【選択図】　　図３
2004016793.tif 000002
【特許請求の範囲】
【請求項１】
縦長の柱板状に形成された本体と、この本体から身体への固定用に延設される前固定バンド、後固定バンド及び、胴巻バンドと、該本体に、傘支柱を保持するための、丁番器具であって、傘支柱を締め付け調整するためのバンドを設けた該丁番と、傘支柱保持における、高さ位置を調整するための、前記本体下部に形成される上下調整器具と、から成ることを特徴とする傘ホルダーである。
【発明の詳細な説明】
【０００１】
【発明の属する技術分野】
この発明は、傘を使用する時に、両手で荷物を持ったり、自転車を、操作したりするとき、または杖をついてる人、手足の不自由な人も使用可能で、雪や雨などで、滑りやすい道路などであっても、手を使わなく、身体の安全を考慮し傘を使用できる傘ホルダーに関するものである。
【０００２】
【従来の技術】
従来傘を使用する時は、片手で持つか、傘の柄を紐などで体に結びつけるしか、方法がなく、安全性と不便さがあった。
【０００３】
【発明が解決しようとする課題】
これは次のような欠点があった。
イ、雨や雪の日に、傘を使用する時は片手で持つため、両手に荷物のある時や自転車運転、杖をついてる、身体の不自由な人にとっては、両手が使えずに、不安が多くあった。
ロ、傘を持つ時に、片手が使えないため、転倒事故なども起りやすく、特に身体の不自由な人は、雨や雪降りの時に、外出するのが億劫であった。
本発明は、以上の欠点を解決するためになされたものである。
【０００４】
【課題を解決するための手段】
本発明の傘ホルダーは、図２のように、身体にセットする、胴巻バンド（９）と、前腰から肩・背中・後腰に、前固定バンド（１４）後固定バンド（１６）丁番（バネ付）（４）から成る傘ホルダーであることを特徴とする。
【０００５】
【発明の実施の形態】
以下、本発明の実施の形態を説明する。
（イ）この傘ホルダーの、本体（８）本体スライド板（７）は、プラスチック製で、上部に後固定バンド（１２）、上部横に前固定バンド（１１）、下部に、胴巻バンド（９）（この３種のバンドは、布・皮・プラスチック素材のいずれでも可）、上下の長さを調整できるように、前バンド調整具（１５）後バンド調整具（１７）を設け、腰まわり調整は、胴巻バンド止具（１０）を設け、前固定バンド（１４）の下に前バンド止具（１３）を設け、腰巻バンド止具（１０）と取り外しができ操作しやすいようにした。
（ロ）丁番（ネジ付）（４）は、本体（８）に、ネジで固定し、傘主柱（２）を支えるために、本体（８）の表固定部に、傘主柱受固定具（３）プラスチック成型品を取りつけ、丁番（バネ付）（４）上部の表固定部に、傘主柱押固定具（６）プラスチック成型品を取りつける。ハンドル（５）は、プラスチック製で、中芯に鉄製の、丁番ネジ棒（２０）を取りつける。
（ハ）丁番（バネ付）（４）は、傘をセットする時に、ハンドル（５）を、持ち上げると、丁番（バネ付）（４）は、９０度横に開いて丁番バネ（１８）の働きで９０度の状態で止るので、傘主柱（２）をセットし、ハンドル（５）を、元に戻すと、バネの力で、自動的に、丁番が閉る。丁番棒ネジ穴（１９）に、丁番ネジ棒（２０）が入るので、傘主柱（２）が、安定する程度にハンドル（５）で締める。
（ニ）人の身長によって、本体（８）と、本体スライド板（７）を、上下の調整ができるように、本体スライド板（７）に調整穴を、４個所設けることにより、４段階の調整ができる。調整穴（２２）には、本体スライド止具（２１）の裏面に、本体スライド止ボタン（２３）があり、自動的にロックされるため、本体スライド止具（２１）の上部を、指で手前に引くと、可撓部（２４）の部分から曲がりロックが外れ、身体に合う所の穴に合わせ、指を離すとロックされる構造である。
【０００６】
【発明の効果】
本発明を使用することによって、手で傘を持たなくとも、荷物を両手で持つ時、杖、松葉杖、手の不自由な人、雨雪、悪路、自転車に乗ってる時など、幅広く、利用することができる。
【図面の簡単な説明】
【図１】本発明の正面図
【図２】本発明の使用状態を示す正面図
【図３】本発明の丁番を開いた状態の斜視図
【図４】本発明の本体スライド板図
【図５】本発明の本体部分を背面側から見た部分拡大図
【符号の説明】
１　傘　　　　　　　　　　　　　　　１３　前バンド止具
２　傘主柱　　　　　　　　　　　　　１４　前固定バンド
３　傘主柱受固定具　　　　　　　　　１５　前バンド調整具
４　丁番（バネ付）　　　　　　　　　１６　後固定バンド
５　ハンドル　　　　　　　　　　　　１７　後バンド調整具
６　傘主柱押固定具　　　　　　　　　１８　丁番バネ
７　本体スライド板　　　　　　　　　１９　丁番棒ネジ穴
８　本体　　　　　　　　　　　　　　２０　丁番ネジ棒
９　胴巻バンド　　　　　　　　　　　２１　本体スライド止具
１０　胴巻バンド止具　　　　　　　　　２２　本体スライド固定具
１１　前固定バンド止具　　　　　　　　２３　本体スライド止ボタン
１２　後固定バンド止具　　　　　　　　２４　可撓部
【図１】
2004016793.tif 000003
【図２】
2004016793.tif 000004
【図３】
2004016793.tif 000005
【図４】
2004016793.tif 000006
【図５】
2004016793.tif 000007
(57)【要約】　　　（修正有）【課題】ベッド、椅子、乗物のシート等と身体との接触面の温度調節装置を提供する。【解決手段】室内及び乗物内へのエアコン吹き出し口に、ダクト１を取り付け、冷風か温風を吸気し、その先をベッド、椅子、乗物のシート等に設けた空気袋２又はパイプか空気箱に接続し、それぞれに１個以上の空気排気口５か、無数のピンホール空気排気口を作り、温度調節と継続して膨張するため吸気と排気を調整する。【選択図】　図１
2004016799.tif 000002
【特許請求の範囲】
【請求項１】
室内及び乗物内へのエアコン吹き出し口にダクトを取り付け冷風か温風を吸込み、その先をベッド、椅子、乗物のシート等に設けた空気袋又はパイプか空気箱につなぎ、それぞれに排気口を作る。
【発明の詳細な説明】
【０００１】
【発明の属する技術分野】
この発明は、ベッド、椅子、乗物のシート等と身体との接触面の温度調節に関するものである。
【０００２】
【従来の技術】
従来のエアコンは、空間全体の温度調節は可能であるが、ベッド、シート等の身体との接触面の温度調節には不適切である。
【０００３】
【発明が解決しようとする課題】
これには次のような欠点があった。
（イ）真夏の熱帯夜が続くとき、エアコンは室内全体の冷房には効果はあるが、就寝時にベッドマットレスと身体が触れる部分の温度が下げられず寝苦しい。
（ロ）椅子や乗物のシート等も、暑い季節は空間全体の冷房では背中から腿の接触面は体温と暑さで発汗がひどくて長く座るのが苦痛である。
（ハ）前記、イとロの場合いままでのエアコンでは直接作用できず効率が悪い。
また冬に接触面を暖める場合にも同様である。。
本発明は、以上の欠点を解決するためになされたものである。
【０００４】
【課題を解決するための手段】
ベッドの場合、エアコンの室内への吹き出し口にダクト（１）を取り付け冷風か温風を吸入し、その先をベッドマットレスと一体化した空気袋（２）又はパイプ（３）か空気箱（４）につなぎ、空気袋（２）に１個以上の排気口（５）を、パイプ（３）は１個以上の排気口（５）か無数のピンホール排気口（６）を、空気箱（４）には無数のピンホール排気口（６）を設ける。
それぞれ、温度設定と継続して膨張するために吸気と排気を調整する。
本発明は、以上の構成よりなるベッドマットレスと身体との接触面の温度調節装置である。椅子と乗物のシート等の場合も全く同じです。
【０００５】
【発明の実施の形態】
以下、ベッドの場合の本発明の実施の形態を説明する
（イ）室内のエアコン吹き出し口にダクト（１）を取り付ける。
（ロ）ダクト（１）を、ベッドマットレスを覆うか埋め込むように一体化した空気袋（２）かパイプ（３）に接続し、熱の伝導による温度調節を行う。
（ハ）ベッドマットレスの内部に設置した空気箱（４）にも、ダクト（１）を接続する。
（ニ）空気袋（２）には、１個以上の排気口（５）を設ける。
（ホ）パイプ（３）には、１個以上の排気口（５）を設けるか、無数のピンホール排気口（６）を設け、排気を身体と通気性のあるベッドマットレスの間に出し温度調節を行う。
（ヘ）空気箱（４）にも無数のピンホール排気口（６）を設け、排気を身体と通気性のあるベッドマットレスの間に出し、温度調節を行う。
（ト）それぞれ、温度調節と継続して膨張するために吸気と排気を調整する。
本発明は、以上の構成よりなっている。
本発明を使用するときは、エアコンの温度を設定して作動させれば空気の流れと熱の伝導で、ベッドマットレスと身体との接触面の温度が調節できる。
【０００６】
【発明の効果】
本発明を使用することによって、ベッドマットレスと身体との接触面の温度調節が可能になり、夏の暑いときに快適な睡眠が得られる。
椅子と乗物のシート等の場合もすばらしい座りごこちです。
【図面の簡単な説明】
【図１】本発明の空気袋（２）の斜視図
【図２】本発明のパイプ（３）の斜視図（排気口は２種類図示）
【図３】本発明の空気箱（４）の斜視図
【符号の説明】
１　ダクト
２　空気袋
３　パイプ
４　空気箱
５　１個以上の排気口
６　ピンホール排気口
【図１】
2004016799.tif 000003
【図２】
2004016799.tif 000004
【図３】
2004016799.tif 000005
(57)【要約】【目的】就寝中の大地震に対して、簡易、軽量金属パイプ枠の三角テント形状として、内部の就寝者を天井、梁柱の落下、箪笥の転倒からの下敷き等の危険を強力に防ぐ空間を形成し、折畳み収納ができるので各人が自由に小スペース設置で使用できる低コストの就寝中の耐震具を提供する。【構成】２枚の桟保有枠体を、床上に合わせて立て合わせこの枠体の各上辺を接続部とし、この接続部を大略覆うパイプ状の可動接続体に接続片を設け開閉、可動自在に接続結合し、各下辺を開放部としてこの各下辺には三角テント状に成る幅の長さに調整した開閉制御体を設けて成る。【選択図】　図１
2004016796.tif 000002
【特許請求の範囲】
【請求項１】
少なくも１以上の桟保有枠体（１）に該桟保有枠体（１）の上辺（２）を接続部（３）とし該接続部（３）に可動接続体（４）を設け、前記桟保有枠体（１）の下辺（５）を開放部（６）とし、該開放部（６）に開放制御体（７）を設けて成ることを特徴とする就寝中の耐寝具。
【発明の詳細な説明】
【０００１】
【産業上の利用分野】
この発明は、就寝中の耐寝具に関するものである。
【０００２】
【従来の技術】
従来、寝室内にもう一つ小さな寝室状の重厚で備え付け同然のものはあつたが形状が就寝時でない時でもスペースをとり、一般住居では就寝時以外に片付けられず居住区も狭小となり、各人毎の使用も困難で高価複雑重厚な欠点があつた。
【０００３】
【発明が解決するための課題】
上記を解決するために、安価、軽量、強靱、三角テント形で簡単に折り畳み収納ができて、就寝中の突然の激震による落下物からの被害を最小にとどめ、安全な空間を確保し、落ち着いて情況の判断、応急処置、脱出、人体の頭部、腹部の重要部をほぼ完全に防禦し、各人毎が使用でき震災のなかでも最大危機の就寝中の突然の危機対応ができて、一般家庭に激震からの安全確保が低コストに享受できる器具を提供することを課題とする。
【０００４】
【課題を解決するための手段】
少なくも１以上の桟保有枠体（１）に該桟保有枠体（１）の上辺（２）を接続部（３）とし、該接続部（３）に可動接続体（４）を設け、前記桟保有枠体（１）の下辺（５）を開放部（６）とし、該開放部（６）に開放制御体（７）を設ける。
【０００５】
【作用】
本発明に係わる就寝中の耐震具は、最大被害を被る就寝時の大地震において、安全空間の形成と個々に設置使用の作用を有す、桟保有の強靱、軽量金属パイプ枠２枚を床に対して合わせて立て、底辺枠に強力帆布等で開き幅を調整した開閉制御体を取り付け、上辺の各枠の合わせ目には開閉、可動自在のパイプ状可動接続体を設け上辺の各枠パイプ長を覆う状態としてパイプ軸と直角に接続片を設け両接続片をボルトで結合し、落下物に対し三重の防禦作用を保有し、桟も補助力とする三角テント形状として天井落下、梁柱落下、箪笥等の転倒に対して、この内部の就寝者の下敷回避作用をする、就寝時以外は両枠を可動して折り畳み薄く収納する、寝具は可動接続部を解除して上辺を両開きして敷き布団を開閉制御体の上に敷き、再び可動接続体を結合すると寝具を有する三角テント形状の安全空間と成る、就寝者は激震時でも安全なこの空間で冷静適切な行動がとれる、また各人毎に自由設置して就寝し、就寝時以外は折り畳んで薄く収納できる、三角テント形状は、パイプ枠、桟、垂直接続片保有のパイプ状可動接続体の作用と相乗し三重強力防禦作用と成り簡潔軽量小スペース形状で適切自由設置作用をなす。
【０００６】
【実施例】
実施例１
図１に基ずいて実施例１を説明する。
実施例１の和式寝具で就寝中の耐震具の斜視図で、人の腿程度の長さであり桟を保有する金属パイプ枠２枚の上辺合わせ目を、開閉もパイプとも可動自在に接続結合され、下辺底枠には帆布等で２枚枠体が適切な三角形幅と成るよう調整した開閉制御体を取り付け、三角テント状の空間を形成し此の内部で就寝できる、畳上で上辺の可動接続体を解除して、上辺を両開きして敷き布団を開閉制御体の上に敷き、再び上辺を閉じて可動接続体を結合させてから布団に入り就寝する。
【０００７】
実施例２
図３に基づいて実施例２を説明する。
実施例２の洋式ベッドにおける就寝中の耐震具の斜視図で人の腿か全身長とし大略図１の実施例１と同様であるが、ベッドの基床の上に前記開閉制御体を置き其の上に敷き布団を敷く違いだけである。
【０００８】
【発明の効果】
本発明に係わる効果は、金属パイプで三角テント状に形成された内部空間は、就寝中の咄嗟の大地震で天井、梁柱の落下、タンスの転倒等からの下敷きを防ぎ身体の頭部、腹部等重要部を防護し被害を最小に止める安全な空間が確保され、落ち着いて情況の判断、応急処置、脱出の行動がとれる、和式寝具もベツドにも各人が個々に小スペースで使用可能で、就寝時以外は薄く折り畳んで収納できて就寝中の突然の激震初期時の安全確保が、一般家庭にも低コストで享受できる、本三角テント形状の枠体効果は落下物、倒壊に対して上辺パイプ、可動接続体とこのパイプ軸に直角垂直に設けた接続片とこれをボルトで結合する三重の対応力は落下物を簡易軽量材で最大に防禦する効果がある就寝中の耐震具を提供する。
【図面の簡単な説明】
【図１】本発明の、就寝中の耐震具の斜視図である。
【図２】本発明の、就寝中の耐震具のＡ−Ａの断面図である。
【図３】本発明の、ベッド上での就寝中の耐震具の斜視図である。
【図４】本発明の、ベッド上での就寝中の耐震具のＡ−Ａの断面図である。
【符号の説明】
１桟保有枠体　２上辺　３接続部　４可動接続体　５下辺　６開放部
７開放制御体　８ベッド　９ベッドの基床　１０桟　１１接続片
【図１】
2004016796.tif 000003
【図２】
2004016796.tif 000004
【図３】
2004016796.tif 000005
【図４】
2004016796.tif 000006
(57)【要約】【課題】常時揚げ油の品質を評価して表示するフライヤーを提供する。【解決手段】揚げ油が遮断されないように穴を開けた保護板及び電極保持器に平行平板形電極を備えたセンサー部を油槽内に設け、油の劣化指標と誘電特性との相関により、電場内における揚げ油の状態変化に伴う誘電率の変化を電気容量の変化として測定し数値化、高温に耐え得るケーブルで接続された表示盤に揚げ油の品質評価値を表示する。【選択図】　図１
2004016798.tif 000002
【特許請求の範囲】
【請求項１】
油槽内に揚げ油が遮断されないように穴を開けた着脱自在の保護板及び電極保持器に平行平板形電極を備えた着脱自在のセンサー部を設け、センサー部と高温に耐え得るシールパイプで保護されフライヤーに内蔵されたケーブルで接続された揚げ油の評価値を表示する表示盤を設けてなることを特徴とするフライヤー。
【請求項２】
油槽内に自在に投入し得る円筒状に形成され揚げ油が遮断されないように穴を開けた保護板の中心部に設けた電極保持器に平行平板形電極を備えた着脱自在のセンサー部と、センサー部と高温に耐え得るシールパイプで保護されたケーブルで接続された着脱自在の揚げ油の評価値を表示する表示盤を設けてなることを特徴とするフライヤー。
【発明の詳細な説明】
【０００１】
【発明の属する技術分野】
本発明は、常時揚げ油の品質を評価して表示するフライヤーに関する。
【０００２】
【従来の技術】
従来のフライヤーは、常時揚げ油の品質を評価また表示し得ない。
【０００３】
【発明が解決しようとする課題】
フライヤーの揚げ油の交換や差し油のタイミングは、揚げ物の品質や安全性また油の延命の点での重要な課題である。しかし、現状ではそのタイミングを決定するのは、人の経験に基づく官能的な判定によるしかない。
【０００４】
本発明は、常時揚げ油の品質を評価し表示して、揚げ油の交換や差し油の時期の判定を最適化し揚げ物の品質や安全性また油の延命に関してその向上をはかり得るフライヤーを実現することを目的とするものである。
【０００５】
【課題を解決するための手段】
上記課題を解決するために、揚げ油が遮断されないように穴を開けた保護板及び電極保持器に平行平板形電極を備えたセンサー部を油槽内に設け、ケーブルで接続された揚げ油の評価値を表示する表示盤を設けたフライヤーとする。
【０００６】
これは、一般的な油の劣化の指標と誘電特性とが相関関係にあるということで、電場内における揚げ油の状態変化に伴う誘電率の変化を電気容量の変化として測定し、それを数値化して表示するものである。
【０００７】
この表示盤に表示された数値によって、揚げ油の交換や差し油の最適な時期の判定を行なえる。
【０００８】
【発明の実施の形態】
本発明の実施の形態を、図１と図２及び図３と図４を参照して説明する。
【０００９】
図１と図２では、フライヤー１油槽内に、揚げ油が遮断されないように穴を開けた着脱自在の保護板２及び電極保持器３に平行平板形電極４を備えた着脱自在のセンサー部５を設け、センサー部５と高温に耐え得るシールパイプ６で保護されフライヤー１に内蔵されたケーブル７で接続された揚げ油の評価値を表示する表示盤８を設けている。
【００１０】
図３と図４では、フライヤー１油槽内に自在に投入し得る円筒状に形成された保護板９の中心部に設けた電極保持器３に平行平板形電極４を備えた着脱自在のセンサー部５と、センサー部５と高温に耐え得るシールパイプ６で保護されたケーブル７で接続された着脱自在の揚げ油の評価値を表示する表示盤８を設けている。
【００１１】
【発明の効果】
本発明のフライヤーは、以上説明したように構成されているので、以下に記載されるような効果を奏する。常時揚げ油の品質を評価し表示するので、揚げ油の交換や差し油の時期の判定を最適化し、揚げ物の品質や安全性また油の延命の向上が可能となる。
【００１２】
また、表示盤に通信機能を持たせることにより、揚げ油の品質管理が可能となる。
【図面の簡単な説明】
【図　１】本発明の実施例を示す説明図で、フライヤーの外観図。
【図　２】同フライヤー油槽内に設けた保護板とセンサー部の拡大図。
【図　３】本発明の他の実施例を示す説明図で、フライヤーの外観図。
【図　４】同フライヤー油槽内に投入自在の保護板とセンサー部の拡大図。
【符号の説明】
１　フライヤー
２　保護板
３　電極保持器
４　平行平板形電極
５　センサー部
６　シールパイプ
７　ケーブル
８　表示盤
９　円筒状に形成された保護板
【図１】
2004016798.tif 000003
【図２】
2004016798.tif 000004
【図３】
2004016798.tif 000005
【図４】
2004016798.tif 000006
(57)【要約】　　　（修正有）【課題】風を多く吸い込み、小物掛け又は、ハンガー、ズボン掛け、三役ハンガーを提供する。【解決手段】ハンガー３を二つ折にし、固定止め７で固定する、本体の左右２を軽く止まるまで、引き出す。ハンガー３を左右に開いて、小物掛けにする。ズボンは小物掛けのまま、ずぼんを開いて、腰の部分に入れて吊りかぎ５をばんど掛けに掛ける、風に強いし日光も入り乾きが早いのを特徴とする。【選択図】図１
2004016789.tif 000002
【特許請求の範囲】
【請求項１】
中央から二つ折に成るハンガー本体（１）に本体引き出し、（２）を設けるハンガー（３）を設け、左右に開いて小物掛け（４）にする、腰の部分に入れ、吊りかぎ（５）を設け、バンド掛け（６）に吊りかぎ（５）を引っかけ落ちない用に固定する、小物掛けは（４）の状態で洗濯バサミ、（９）で使用する、固定（７）と吊りチエン（８）を設けた。
【発明の詳細な説明】
【０００１】
【発明の属する技術分野】
この発明は、物干し竿に、二枚にくっついて干されてる、ズボンなど、小物かけ又は一般ハンガーに関するものである。
【０００２】
【従来の技術】
従来、物干し竿に、ぴったりくっいた状態で干してある、風とおしが悪く日光も入らず乾きが良くない。
【０００３】
【発明が解決しようとする課題】
これは次のような欠点があった。
イ，ズボンは水を吸うと重く、洗濯ばさみに、はさむので落ちる事もある。
ロ，二枚がさねで竿にかけるので、風の入りが悪く乾きが良くない。
本発明は、以上の欠点を解決するためになされたものである。
【０００４】
【課題を解決するための手段】
ハンガー本体（１）の左右（２）を引き出しを設け、半円型（３）を二つ設け左右に開いて使用する、ズボンは小物掛け（４）に吊りかぎ（５）を設けてバンド止め（６）に引っかけ、落ちないよう固定する、なお小物かけハ（４）で使用する。
本発明は、以上の構成よりなる、合体三役ハンガー具である。
【０００５】
【発明の実施の形態】
以下、本発明の実施の形態を説明する。
（イ）小型ハンガー本体（１）に付き、左右の引き出し（２）を設ける。
（ロ）左右引き出し（２）を押して元にもどす、半円型（３）を設け左右に開いて、バンド止め（６）に引っ掛けて、固定する。
（ハ）小物は丸型（４）に洗濯ばさみを設け、休ませる事無く使用する事が出来るのである。
（二）なお、丸型（４）にした時釣針型（５）をバンド止め（６）に確実に固定する。
（ホ）左右の引き出し（２）を、片側だけを上に上げて、半円型（３）に、すると首の部分が開いて、風通しが良く乾きが早い。
本発明は、以上の構成よりなっている。
本発明を使用する時は、三役に成るため、一回ごとに、次のような。
切替えが必要である。
ハンガー本体（１）を使用する時は、本体の左右（２）を止まるまで軽く引き出す、なお半円型（３）の片面を下に、片側は上に固定するとＬ型になり、風通りがよくなる。
左右の引き出し（２）を押して元に戻して、小物を掛ける、又はズボンも掛ける事が出来る、ズボンは半円型（３）で固定する。
【０００６】
【発明の効果】
本発明を使用する事によって、手軽に洗濯物を干す事が出来て、しかも早く乾くので、忙しい時は、便利である。しかもお天気の悪い時は室内でも乾きが早いので良いのである。
【図面の簡単な説明】
【図１】本発明の正面図
【図２】本発明の上面図
【図３】本発明の使用状態を示す正面図
【図４】本発明の使用状態を示す斜視図
【符号の説明】
１　ハンガー本体
２　本体引き出し
３　ハンガー
４　小物掛け
５　吊りかぎ
６　バンド掛け
７　ハンガー固定止め
８　吊りチエン
９　洗濯バサミ
【図１】
2004016789.tif 000003
【図２】
2004016789.tif 000004
【図３】
2004016789.tif 000005
【図４】
2004016789.tif 000006